(57)【要約】【課題】  送風路が閉塞され本体内が高温状態から再運転開始しても異常高温まで機内温度が達するのを防止できる温風暖房機を提供する。【解決手段】  室内から給気した空気と燃焼ガスとを熱交換器１１で熱交換して温風として吹き出す温風暖房機で、ポストパージ中に再運転を開始しても、本体内の温度が通常より低い温度に設定した異常過熱判定温度に達したら運転を停止し、それによりポストパージの途中で本体内の温度が高い状態から運転を開始して急激に本体内の温度が上昇し本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温により損傷したり寿命が短くなるのを防止できるものである。【選択図】  図４
2015096778.tif 000002
【特許請求の範囲】
【請求項１】
燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出し、運転停止後に対流用送風機を動作してポストパージを行うと共に、異常過熱検知手段が検知する本体温度が異常過熱判定温度以上になった時、異常過熱と判断して燃焼部を消火して運転を停止する温風暖房機に於いて、ポストパージ中に運転スイッチがＯＮ操作された時、ポストパージを中止し、前記異常過熱検知手段が検知する本体内の温度が所定温度以上の場合、異常過熱判定温度を通常より低い温度に設定して運転動作を行うことを特徴とする温風暖房機。
【請求項２】
燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出し、運転停止後に対流用送風機を動作してポストパージを行うと共に、異常過熱検知手段が検知する本体温度が異常過熱判定温度以上になった時、異常過熱と判断して燃焼部を消火して運転を停止する温風暖房機に於いて、ポストパージ中に運転スイッチがＯＮ操作された時、ポストパージを中止し、前記異常過熱検知手段が検知する本体内の温度が所定温度以上の場合、異常過熱判定温度を通常時より低い温度に所定時間設定し、所定時間経過後通常時の異常過熱判定温度に戻すことを特徴とする温風暖房機。
【請求項３】
ポストパージ終了後に運転スイッチがＯＮ操作された時、異常過熱判定温度をポストパージ中に運転スイッチがＯＮ操作された時に設定される通常時より低い温度よりも更に低い温度に設定し、前記異常過熱検知手段が検知する本体内の温度が異常過熱判定温度以上の場合、異常と判断して運転を行わないことを特徴とする請求項１又は２記載の温風暖房機。
【発明の詳細な説明】
【技術分野】
【０００１】
本発明は、燃焼による排気ガスと室内空気とを熱交換して暖房を行う通称ＦＦ式と言われる温風暖房機に関するものである。
【背景技術】
【０００２】
従来、この種のものに於いては、流入空気量不足による器具の本体内の異常温度上昇を、本体内の温度を検知するサーミスタを用いて早期に検知し、器具の異常温度過熱を防止するものがあった。（例えば特許文献１参照）
【０００３】
また、運転スイッチのＯＦＦ操作による加熱手段の停止後も、所定時間対流ファンを動作させることで、加熱停止時に、加熱手段が収納された筐体内の温度が過剰に上昇するのを防止するポストパージを行なうものがあった。（例えば特許文献２参照）
【先行技術文献】
【特許文献】
【０００４】
【特許文献１】特開平０６−１２３４２５号公報
【特許文献２】特開平１０−３００２２９号公報
【発明の概要】
【発明が解決しようとする課題】
【０００５】
ところで、この従来のものでは、例えば対流ファンの空気取り入れ口に設けたフィルターに徐々にほこり等が付着して流入空気量が徐々に不足して本体内の温度が上昇し、ほこり等の付着が所定のレベルに達した時点で本体内の温度が異常判定温度に達して運転が停止されるが、この場合、異常判定温度に達するまでの温度変化は緩やかに上昇し、異常判定温度に達して運転が停止された後の本体内の温度は、異常判定温度より１０〜２０℃高い温度までオーバーシュートした後に低下していくものである。
【０００６】
しかし、運転停止直後のポストパージ中に、運転スイッチをＯＮ操作して再運転させる場合、ポストパージが終了してから再運転動作を開始するのは使い勝手が悪いため、ポストパージを途中で中止して運転動作に入るが、運転停止直後に対流ファンの空気取り入れ口に洗濯物が落ちたり、温風の吹き出し口の前に物を置いたりして送風路が閉塞されている状態でポストパージ中に運転スイッチをＯＮ操作して再運転させる場合、本体内の温度が高い状態から運転を開始して急激に本体内の温度が上昇し、異常判定温度に達して運転が停止するが、運転停止された後の本体内の温度は、再運転開始時に本体内の温度が高い状態だったために異常判定温度より５０℃以上高い温度までオーバーシュートしてしまい、温風暖房機の本体表面が高温になってしまったり、本体内の部品や基板が高温により損傷したり寿命が短くなってしまう課題があった。
【課題を解決するための手段】
【０００７】
上記課題を解決するために、本発明の請求項１では、燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出し、運転停止後に対流用送風機を動作してポストパージを行うと共に、異常過熱検知手段が検知する本体温度が異常過熱判定温度以上になった時、異常過熱と判断して燃焼部を消火して運転を停止する温風暖房機に於いて、ポストパージ中に運転スイッチがＯＮ操作された時、ポストパージを中止し、前記異常過熱検知手段が検知する本体内の温度が所定温度以上の場合、異常過熱判定温度を通常より低い温度に設定して運転動作を行うものである。
【０００８】
また、請求項２では、燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出し、運転停止後に対流用送風機を動作してポストパージを行うと共に、異常過熱検知手段が検知する本体温度が異常過熱判定温度以上になった時、異常過熱と判断して燃焼部を消火して運転を停止する温風暖房機に於いて、ポストパージ中に運転スイッチがＯＮ操作された時、ポストパージを中止し、前記異常過熱検知手段が検知する本体内の温度が所定温度以上の場合、異常過熱判定温度を通常時より低い温度に所定時間設定し、所定時間経過後通常時の異常過熱判定温度に戻すものである。
【０００９】
また、請求項３では、請求項１又は２に於いて、ポストパージ終了後に運転スイッチがＯＮ操作された時、異常過熱判定温度をポストパージ中に運転スイッチがＯＮ操作された時に設定される通常時より低い温度よりも更に低い温度に設定し、前記異常過熱検知手段が検知する本体内の温度が異常過熱判定温度以上の場合、異常と判断して運転を行わないものである。
【発明の効果】
【００１０】
この発明の請求項１によれば、ポストパージ中に運転スイッチがＯＮ操作された時、ポストパージを中止し、前記異常過熱検知手段が検知する本体内の温度が所定温度以上の場合、異常過熱判定温度を通常より低い温度に設定して運転動作を行うので、運転停止直後に本体背面にタオルがかかったり、本体正面に物が置かれたりして送風路や前面中央の吹き出し口がほとんど又は完全に閉塞されている状態になって、更にポストパージを行っている途中で再運転を開始しても、本体内の温度が通常より低い温度に設定した異常過熱判定温度に達したら運転を停止し、それによりポストパージの途中で本体内の温度が高い状態から運転を開始して急激に本体内の温度が上昇し本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温により損傷したり寿命が短くなるのを防止できるものである。
【００１１】
また、請求項２によれば、ポストパージ中に運転スイッチがＯＮ操作された時、ポストパージを中止し、前記異常過熱検知手段が検知する本体内の温度が所定温度以上の場合、異常過熱判定温度を通常時より低い温度に所定時間設定し、所定時間経過後通常時の異常過熱判定温度に戻すので、再運転開始時の本体内の温度のオーバーシュートによる異常過熱がなければ、そのまま運転を継続しつつ通常の異常過熱判定を行えるものである。
【００１２】
また、請求項３によれば、ポストパージ終了後に運転スイッチがＯＮ操作された時、異常過熱判定温度をポストパージ中に運転スイッチがＯＮ操作された時に設定される通常時より低い温度よりも更に低い温度に設定し、前記異常過熱検知手段が検知する本体内の温度が異常過熱判定温度以上の場合、異常と判断して運転を行わないので、運転停止後からポストパージ終了前までの間に、運転停止直後に本体背面にタオルがかかったり、本体正面に物が置かれたりして送風路や前面中央の吹き出し口がほとんど又は完全に閉塞されている状態になっている時、運転スイッチがＯＮ操作されても運転を行わないので、再運転開始時の本体内の温度のオーバーシュートによる異常過熱を防止できるものである。
【図面の簡単な説明】
【００１３】
【図１】この発明の一実施例を付した温風暖房機の斜視図。
【図２】同断面図。
【図３】同ブロック図。
【図４】同運転開始時のフローチャート図。
【発明を実施するための形態】
【００１４】
次にこの発明に係る温風暖房機を図面に示す一実施例で説明する。
１は温風暖房機本体で、前面中央から下部にかけて温風を吹き出す吹き出し口２を設けると共に、本体上面に運転スイッチ３や温度設定スイッチ（図示せず）等の複数のボタンを有する操作部４が設けられると共に、本体正面上部に温度や時間を表示する表示部５とが設けられ、又背面には屋外の空気を温風暖房機に給気するための給気部（図示せず）と温風暖房機の排気ガスを屋外に排気するための排気部（図示せず）とからなる給排気筒（図示せず）が接続されているものである。
【００１５】
６は燃焼部で、燃料供給手段（図示せず）である燃料ポンプから送られてきた灯油と燃焼用送風機（図示せず）から送られてくる燃焼用空気を点火装置（図示せず）にて着火することにより燃焼をするバーナ部７と、該バーナ部７の燃焼ガスを排気ガスとして導く外筒８とからなるものである。
【００１６】
９は箱状の排気室で、下部に外筒８が取り付けられ、内部には外筒８から流入する排気ガスを迂回させて通過させるための迂回板（図示せず）を設けたものであり、又その上面には中心部分から端にむかって低くなるような傾斜部１０が、中心部分から温風暖房機本体１の前面方向と中心部分から温風暖房機本体１の背面方向に設けられているものである。
【００１７】
１１は熱交換器で、排気室９の上方に設けられ、排気室９からの排気ガスが流入する箱状の流入部１２と、略パイプ状で一端が流入部１２に接続され、流入部１２からの排気ガスが内部を通過する複数の熱交換パイプ１３と、該熱交換パイプ１３の他端が接続されると共に屋外と連通している給排気筒（図示せず）の排気部（図示せず）と接続され、熱交換パイプ１３内を通過した排気ガスを排気部に案内する箱状の流出部（図示せず）とからなるものである。
【００１８】
１４はプロペラファンからなる対流用送風機で、熱交換器１１の後方に設けられ、対流用モータ１５により駆動されることにより、室内の空気を吸い込んで下方向に送風するものである。
【００１９】
１６はサーミスタからなる異常過熱検知手段で、熱交換器１１の上方に設けられた遮熱板１７に取り付けられ、この遮熱板１７の温度を検知することで本体内の温度を検知するものである。
【００２０】
１８は制御部で、室内温度が設定温度になるように温風暖房運転を制御するものである。
１９はタイマーで、制御部１８からの計時開始信号及び計時停止信号により時間を計時するものである。
【００２１】
次に本発明一実施例の動作について説明する。
まず内蔵されているヒータ（図示せず）に通電してバーナ部７が所定の温度に上昇すると、燃料ポンプから灯油がバーナ部７に送られて気化し、又バーナ部７に燃焼用送風機から燃焼用空気が送られ、気化した灯油と燃焼用空気が混合され、点火装置（図示せず）により着火されて燃焼を開始する。
【００２２】
燃焼ガスは排気ガスとしてバーナ部７から外筒８内を通過して上昇し、排気室９内の迂回板に案内されて排気室９内を迂回して通過し、熱交換器１１の流入部１２から熱交換パイプ１３内を通過し、流出部から給排気筒の排気部へと流れて屋外に排気されていくものである。
【００２３】
又バーナ部７で燃焼が開始されると、熱交換器１１後方に位置する対流用送風機１４が駆動されて、室内の空気を温風暖房機本体１内に給気し、その給気された室内の空気は、対流用送風機１４から前方に送風され、熱交換器１１の熱交換パイプ１３の外周を通過して熱交換して加熱された後、温風暖房機本体１前面の吹き出し口２から室内に温風として吹き出すものである。
【００２４】
次に再運転開始時の制御について図４に示したフローチャート図にて説明する。
まず制御部１８はポストパージが開始されたか否かを判定し（Ｓ１）、次にポストパージが終了されたか否かを判定する。（Ｓ２）
【００２５】
（Ｓ２）でポストパージが終了されていない時、制御部１８は運転スイッチ３がＯＮ操作されたか否かを判定し（Ｓ３）、運転スイッチ３がＯＮ操作されていない場合は（Ｓ２）へ戻り、運転スイッチ３がＯＮ操作された場合は異常過熱判定温度を低温の１００℃に設定して（Ｓ４）、暖房運転を開始すると共に（Ｓ５）、タイマー１９による計時を開始する。（Ｓ６）
【００２６】
そして、次に制御部１８は、異常過熱検知手段１６で検知する本体内温度が、（Ｓ４）で設定した異常過熱判定温度の１００℃以上か否かを判定し（Ｓ７）、異常過熱検知手段１６で検知する本体内温度が１００℃以上になると、異常過熱と判断して（Ｓ８）、運転を停止して（Ｓ９）、タイマー１９による計時を終了し（Ｓ１０）、表示部５に異常表示をするものである。（Ｓ１１）
【００２７】
又、（Ｓ７）で、異常過熱検知手段１６で検知する本体内温度が１００℃未満の場合、タイマー１９による計時が所定時間、本実施例では６分間を経過したかを判定し（Ｓ１２）、タイマー１９による計時が所定時間を経過していない時は（Ｓ７）へ戻り、タイマー１９による計時が所定時間を経過した時は、タイマー１９による計時を停止し（Ｓ１３）、異常過熱判定温度を通常の１１５℃に設定して（Ｓ１４）、（Ｓ１８）に進むものである。
【００２８】
又、（Ｓ２）でポストパージが終了している場合、完全に運転停止状態となり（Ｓ１５）、次に制御部１８は、運転スイッチ３がＯＮ操作されたか否かを判定し（Ｓ１６）、運転スイッチ３がＯＮ操作されていない場合は（Ｓ１５）へ戻り、運転スイッチ３がＯＮ操作された場合は異常過熱判定温度を最も低温の８０℃に設定するものである。（Ｓ１７）
【００２９】
これは通常の状態でポストパージが終了した場合、本体内の温度は５０℃以下になるが、ポストパージが終了した時点でその温度よりも高い温度、本実施例では８０℃以上であった時、明らかに異常状態と判断するものである。
【００３０】
そして、（Ｓ１７）で異常過熱判定温度を最も低温の８０℃に設定した後、制御部１８は、異常過熱検知手段１６で検知する本体内温度が、（Ｓ１７）で設定した異常過熱判定温度の８０℃以上か否かを判定し（Ｓ１８）、異常過熱検知手段１６で検知する本体内温度が８０℃以上の時、異常と判断して（Ｓ１９）、運転を停止して（Ｓ２０）、（Ｓ１１）に戻るものである。
【００３１】
又、（Ｓ１８）で異常過熱検知手段１６で検知する本体内温度が、（Ｓ１７）で設定した異常過熱判定温度の８０℃未満の場合、暖房運転を開始して（Ｓ２１）、（Ｓ１４）に戻るものである。
【００３２】
これにより、運転停止直後に本体背面にタオルがかかったり、本体正面に物が置かれたりして送風路や前面中央の吹き出し口２がほとんど又は完全に閉塞されている状態になって更にポストパージを行っている途中で再運転を開始しても、本体内の温度が通常より低い温度に設定した異常過熱判定温度に達したら運転を停止し、それによりポストパージの途中で本体内の温度が高い状態から運転を開始して急激に本体内の温度が上昇し本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温により損傷したり寿命が短くなるのを防止できるものである。
【００３３】
又、ポストパージ中に運転スイッチ３がＯＮ操作された時、ポストパージを中止し、前記異常過熱検知手段１６が検知する本体内の温度が所定温度以上の場合、異常過熱判定温度を通常時より低い温度に所定時間設定し、所定時間経過後通常時の異常過熱判定温度に戻すので、再運転開始時の本体内の温度のオーバーシュートによる異常過熱がなければ、そのまま運転を継続しつつ通常の異常過熱判定を行えるものである。  
【００３４】
又、ポストパージ終了後に運転スイッチ３がＯＮ操作された時、異常過熱判定温度をポストパージ中に運転スイッチ３がＯＮ操作された時に設定される通常時より低い温度よりも更に低い温度に設定し、前記異常過熱検知手段１６が検知する本体内の温度が異常過熱判定温度以上の場合、異常と判断して運転を行わないので、運転停止後からポストパージ終了前までの間に、運転停止直後に本体背面にタオルがかかったり、本体正面に物が置かれたりして送風路や前面中央の吹き出し口２がほとんど又は完全に閉塞されている状態になっている時、運転スイッチ３がＯＮ操作されても運転を行わないので、再運転開始時の本体内の温度のオーバーシュートによる異常過熱を防止できるものである。
【符号の説明】
【００３５】
２  吹き出し口
３  運転スイッチ
６  燃焼部
７  バーナ部
８  外筒
１１  熱交換器
１３  熱交換パイプ
１４  対流用送風機
１６  異常過熱検知手段
【図１】
2015096778.tif 000003
【図２】
2015096778.tif 000004
【図３】
2015096778.tif 000005
【図４】
2015096778.tif 000006